(57)【要約】  【課題】  セキュリティロック中に表示部の消費電力量を低減させた携帯端末装置を提供する。  【解決手段】  携帯端末装置は、表示部と、休止モードから動作モードへ変更する際、セキュリティロックがなされた状態であるかどうかを検出するセキュリティロック検出部と、前記セキュリティロック検出部における検出結果をもとに前記動作モードにおける前記表示部の輝度を制御する輝度制御部と、を具備する。【選択図】  図７
2011250135.tif 000002
【特許請求の範囲】
【請求項１】
一部または全ての機能を利用できないようにするためのセキュリティロック機能を有し、動作モードと、前記動作モードよりも消費電力量が少ない休止モードと、を有する携帯端末装置であって、
表示部と、
前記休止モードから前記動作モードに変更する際、セキュリティロックがなされた状態であるかどうかを検出するセキュリティロック検出部と、
前記セキュリティロック検出部における検出結果をもとに前記休止モードから前記動作モードに変更する際の前記表示部の輝度を制御する輝度制御部であって、セキュリティロックがなされていない第１の状態の場合に前記表示部の輝度を第１の輝度に制御し、セキュリティロックがなされている第２の状態の場合に前記表示部の輝度を前記第１の輝度よりも低い第２の輝度に制御する、輝度制御部と、
を具備する携帯端末装置。
【請求項２】
前記第２の状態から前記第１の状態に変更するためのセキュリティロック解除部をさらに具備し、
前記セキュリティロック解除部によって前記第２の状態から前記第１の状態へ変更がなされた際、前記セキュリティロック検出部は、前記第２の状態から前記第１の状態への変更を検出し、前記輝度制御部は、前記セキュリティロック検出部における検出結果をもとに前記表示部の輝度を前記第２の輝度から前記第１の輝度へ変更させる請求項１記載の携帯端末装置。
【請求項３】
前記セキュリティロック解除部は、前記セキュリティロック解除のための暗号を入力できる操作キーまたはタッチパネルである請求項２記載の携帯端末装置。
【請求項４】
前記第１の状態は、セキュリティロックが完全に解除された状態、または、セキュリティロックが一時的に解除された状態である請求項１乃至３のいずれか記載の携帯端末装置。
【請求項５】
前記第２の状態である場合、前記表示部は、前記第２の状態であることを示す表示をおこなう請求項１乃至４のいずれか記載の携帯端末装置。
【請求項６】
前記表示部を第１の表示部としたとき、第１の表示部とは別の第２の表示部をさらに具備し、
前記第２の状態である場合、前記第２の表示部は、前記第２の状態であることを示す表示をおこなう請求項１乃至５のいずれか記載の携帯端末装置。
【発明の詳細な説明】
【技術分野】
【０００１】
本発明は、消費電力量を低減させるモードを備える携帯端末装置に関する。
【背景技術】
【０００２】
近年、携帯電話端末装置などの携帯端末装置には、それらを所有者以外の者による不正使用を防止するために、携帯端末装置の操作をロックするセキュリティロック機能が搭載されている（例えば、特許文献１）。
【先行技術文献】
【特許文献】
【０００３】
【特許文献１】特開２００６−２２９７３０公報
【発明の概要】
【発明が解決しようとする課題】
【０００４】
従来の携帯端末装置は、不使用時に消費電力量の低減を目的として表示部の輝度を低下させる、いわゆる休止モード機能を有している。しかし、従来の携帯端末装置の場合、セキュリティロック機能の実行の有無にかかわらず、休止モードから動作モードに移行させた際に表示部の輝度を休止モード時と比較して高めていたため、携帯端末装置の消費電力が増大していた。セキュリティロック機能を実行している場合は特定の機能を使用することができないため、ユーザーによって表示部を確認される可能性は低く、セキュリティロック機能を実行していない場合と比較して表示部の明るさを必要としないことが多い。
【０００５】
本発明の目的は、セキュリティロック中に表示部の消費電力量を低減させた携帯端末装置を提供することにある。
【課題を解決するための手段】
【０００６】
本発明の一実施形態にかかる携帯端末装置は、一部または全ての機能を利用できないようにするためのセキュリティロック機能を有する。前記携帯端末装置は、表示部と、セキュリティロック検出部と、輝度制御部と、を具備する。前記セキュリティロック検出部は、休止モードから動作モードに変更する際、セキュリティロック機能がなされているかどうかを検出する。前記輝度制御部は、前記セキュリティロック検出部における検出結果をもとに前記動作モードにおける前記表示部の輝度を制御する。そして、前記輝度制御部は、前記セキュリティロックがなされていない第１の状態の場合に前記表示部の輝度を第１の輝度に制御し、前記セキュリティロックがなされている第２の状態の場合に前記表示部の輝度を前記第１の輝度よりも低い第２の輝度に制御する。
【０００７】
本発明の一実施形態にかかる携帯端末装置は、前記第２の状態から前記第１の状態に変更するためのセキュリティロック解除部をさらに具備し、前記セキュリティロック解除部によって前記第２の状態から前記第１の状態へ変更がなされた際、前記セキュリティロック検出部は、前記変更を検出し、前記輝度制御部は、前記セキュリティロック検出部における検出結果をもとに前記表示部の輝度を前記第２の輝度から前記第１の輝度へ変更させることが好ましい。
【０００８】
前記第１の状態は、セキュリティロックが完全に解除された状態、または、セキュリティロックが一時的に解除された状態である。
【０００９】
前記セキュリティロック解除部は、前記セキュリティロック機能解除のための暗号を入
力できる操作キーまたはタッチパネルであることが好ましい。
【００１０】
本発明の一実施形態にかかる携帯端末装置が前記第２の状態である場合、前記表示部は、前記第２の状態であることを示す表示をおこなうことが好ましい。
【００１１】
前記表示部を第１の表示部としたとき、第１の表示部とは別の第２の表示部をさらに具備し、本発明の一実施形態にかかる携帯端末装置が前記第２の状態である場合、前記第２の表示部は、前記第２の状態であることを示す表示をおこなうことが好ましい。
【発明の効果】
【００１２】
本実施形態によれば、休止モードから動作モードに移行させる際にセキュリティロックがなされている場合、表示部の輝度をセキュリティロックがなされていない場合と比較して低減させることにより、携帯端末装置の消費電力量を低減させることができる。
【図面の簡単な説明】
【００１３】
【図１】本発明の実施の形態の一例を示す携帯電話端末装置１００の外観斜視図である。
【図２】筺体が閉じられた状態および筺体が開いた状態を示す折り畳み型の携帯電話端末装置１０１の平面図である。
【図３】筺体が重なった状態および筺体をスライドさせた状態を示すスライド型の携帯電話端末装置１０２の平面図である。
【図４】本発明の実施の形態の一例を示す携帯電話端末装置１００のブロック構成図である。
【図５】本発明の実施の形態の一例を示す携帯電話端末装置１０３の外観斜視図である。
【図６】本発明の実施の形態の一例を示す携帯電話端末装置１０３のブロック構成図である。
【図７】図４および５の制御部２２０を詳細に示したブロック構成図である。
【図８】本発明の実施の形態の一例を示すセキュリティロック機能検出プログラムのフローチャートである。
【図９】本発明の実施の形態の一例を示すセキュリティロック機能検出プログラムのフローチャートである。
【図１０】本発明の実施の形態の一例を示すセキュリティロック機能検出プログラムのフローチャートである。
【図１１】セキュリティロック中であることを表示部１０５に示す携帯電話端末装置１００の外観斜視図である。
【図１２】セキュリティロック中であることを発光部１６０に示す携帯電話端末装置１００の外観斜視図である。
【図１３】第２の表示部１０８にてセキュリティロック中であることを示す、図２に示した携帯電話端末装置１０１の背面図である。
【発明を実施するための形態】
【００１４】
本発明の実施の形態に係る携帯端末装置は、休止モードから動作モードに変更する際、携帯端末装置においてセキュリティロックがなされた状態であるかどうかを検出する。そして、セキュリティロックがなされた状態であると判断したとき、通常の場合、つまり、セキュリティロックがなされていない場合よりも表示部の輝度を低減させる。
【００１５】
休止モードが設定されている場合、使用時の表示部の表示（例えば、待ち受け画面など使用時の表示画面）が消えていることが好ましい。なお、表示部の表示が完全に消えていなくてもよく、例えば、表示部の一部に「休止モード中」など休止モードであることを示
す文字または印が表示される程度であれば休止モードとする。休止モードの場合、後述する輝度制御部によって表示部の輝度は制御される。
【００１６】
また、動作モードでは、表示部の輝度は、休止モード時の表示部の輝度よりも高く、また、表示部において情報の表示がなされている。
【００１７】
休止モードは、動作モードよりも電力の消費量が少ない。なお、電力の消費量の比較は、それぞれのモードにおける表示部の輝度の明暗および表示の有無を比較すれば明らかである。
【００１８】
休止モードから動作モードへの変更は、休止モード中の携帯端末装置を使用しようとした際、ユーザーが携帯端末装置に対して操作をおこなうことにより実現される。
【００１９】
例えば、携帯端末装置が表示部１０５内にタッチパネルを有する携帯電話端末装置である場合（例えば、図１に示す携帯電話端末装置１００）、一定時間使用されなかった際に動作モードから休止モードへの変更が行われ、ユーザーの手が近接したことをタッチパネルが検出することで休止モードから動作モードへの変更が行われる。また、操作部１２０に対して押圧されても前記変更が行われる。
【００２０】
携帯端末装置が、２つの筺体部１０６および１０７とヒンジ部１１０とから構成される、いわゆる折り畳み型の携帯電話端末装置１０１の場合（図２参照）、２つの筺体部１０６および１０７がヒンジ部１１０を軸に閉じられた際（図２の左図）、または、一定時間操作されなかった際に、動作モードから休止モードへの変更が行なわれる。そして、２つの筺体部１０６および１０７が閉じた場合、ヒンジ部１１０を軸に、２つの筺体部１０６および１０７が開くことで（図２の右図）、休止モードから動作モードへの変更が行われる。また、２つの筺体部１０６および１０７が開いた状態で休止モードに変更した場合、休止モードから動作モードに変更させるために、操作部１２０などが押圧されても前記変更が行われる。
【００２１】
携帯端末装置が、２つの筺体部１０６および１０７から構成され、それらをスライドして使用される、いわゆるスライド型の携帯電話端末装置１０２の場合（図３参照）は、２つの筺体部１０６および１０７が重なった状態（図３の左図）、および２つの筺体部がスライドした状態（図３の右図）を有している。一定時間使用されなかった場合に、動作モードから休止モードへの変更が行われ、操作部１２０などが押圧されることで休止モードから動作モードへの変更が行なわれる。また、スライドした状態から２つの筺体部１０６および１０７が重なった状態（図３の右の状態から左の状態）にした場合に、休止モードに変更する設定がなされていてもよい。その場合、２つの筺体部１０６および１０７が重なることで休止モードに変更し、２つの筺体部１０６スライドした状態に戻すことで動作モードに戻すことができる。
【００２２】
本発明の一実施形態にかかる携帯端末装置を、図１〜図１３を用いて説明する。
【００２３】
〔構成〕
まず、携帯端末装置の一例である携帯電話端末装置の構成について説明する。なお、本発明の一実施形態にかかる携帯端末装置とは、携帯電話端末装置に限らず、表示部を備え、休止モードに変更でき、かつ、セキュリティロック機能を有する端末装置であればよい。つまり携帯端末装置としては、例えば、携帯電話端末装置の他に、ＰＤＡ（Personal Digital Assistant）、ＰＨＳ（Personal Handy-phone System）、デジタルカメラ、デジ
タルビデオ等も含まれる。
【００２４】
図１は、携帯電話端末装置の外観斜視図である。なお、図１においては一例として表示部１０５にタッチパネルを有するストレートタイプの携帯電話端末装置を示す。なお、タッチパネルには、例えば、静電容量方式、抵抗膜方式、光学式、超音波表面弾性波方式、赤外線遮光方式、電磁誘導方式、画像認識方式など種々の方式がある。
【００２５】
図１に示す携帯電話端末装置１００の外観には、表示部１０５、操作部１２０、発光部１６０、スピーカ１３０、マイク１４０が備えられている。
【００２６】
表示部１０５は、携帯端末装置に備えられた機能を実現するために各種情報１０４を表示する。各種情報１０４とは、例えば、図１に示すような電波状態表示１０４ａ、電池残量１０４ｂ、日付表示１０４ｃ、時刻表示１０４ｄおよびメール１０４ｅ、ならびに機能メニュー、アドレス帳、電話の着信履歴、発信履歴、メールの送信履歴や受信履歴、データフォルダに保存された文字データや画像データなどを含む。表示部１０５は、例えば液晶ディスプレイ、有機ＥＬ（ＥＬＥＣＴＲＯ  ＬＵＭＩＮＥＳＣＥＮＣＥ）ディスプレイ、プラズマディスプレイ、電子ペーパーなどが挙げられる。なお、後述するように、本発明の一実施態様の携帯電話端末装置では表示部１０５の輝度が制御されるが、表示部１０５が液晶ディスプレイの場合、ディスプレイのバックライトの輝度が制御される。また、表示部１０５が有機ＥＬディスプレイの場合、ディスプレイの発光体の輝度が制御される。
【００２７】
図１の場合、表示部１０５には、タッチパネル入力部が含まれる。なお、表示部１０５において、状況に応じて表示部１０５の一部がタッチパネル入力部になる。
【００２８】
操作部１２０は、ユーザーからの操作の入力を受け付ける。操作部１２０が受け付けた入力は、信号として制御部２２０に入力される。図１の場合、操作部１２０は、ボタン状であり、それが押圧されることで操作がなされる。
【００２９】
発光部１６０は、電話着信、メール受信、アラーム日時到来などを、外部へ光を照射することによりユーザーへ報知する。発光部１６０は、ＬＥＤなどの発光素子により構成されている。
【００３０】
スピーカ１３０は、制御部２２０からの制御信号によって外部に音を出力する機能を有する。スピーカ１３０は、後述するＤ/Ａコンバータ１３５を介して制御部２２０と接続
されている。スピーカ１３０は、使用時にユーザーの耳に近づけて用いられる。
【００３１】
マイク１４０は、音声などの外部からの音を入力する機能を有する。マイク１４０は、入力された音をアナログ信号として後述するＡ／Ｄコンバータ１４５に出力する。マイク１４０は、使用時にユーザーの口に近づけて用いられる。
【００３２】
図４は、携帯電話端末装置１００のブロック構成図である。なお、図４において携帯電話端末装置１００の全ての部位を図示しておらず、例えば、撮影部などを含んでいてもよい。
【００３３】
振動部１５０は、制御部２２０からの制御信号によって機械的振動を生じる。振動部１５０は、例えば、モーターなどから構成され、電話着信、メール受信、アラーム日時到来などを機械的振動としてユーザーへ報知する。
【００３４】
無線回路１７０は、アンテナ１７５から入力された所定の高周波信号に復調処理及び復号処理を施してデジタルの音声信号へと変換する。また、制御部２２０から入力されたデジタルの音声信号には符号化処理及び変調処理を施して、高周波信号に変換する。そして
、無線回路１７０は高周波信号をアンテナ１７５へ出力する。
【００３５】
アンテナ１７５は、所定の周波数帯域を受信して高周波信号として無線回路１７０に出力する。また無線回路１７０より出力された高周波信号を所定の周波数の電磁波として出力する。
【００３６】
制御部２２０は、携帯電話端末装置１００に備えられたソフトウェアおよびハードウェアを制御する。例えば、制御部２２０は、操作部１２０またはタッチパネル入力部１１５がユーザーより受け付けた入力に基づいて、携帯電話端末装置１００に備えられた各種機能を実行する。また、制御部２２０は、後述するＲＯＭ１９０またはＲＡＭ２００と協働して携帯電話端末装置１００に記憶されたプログラムを実行する。
【００３７】
撮影部は、カメラ機能またはビデオ機能を備える。撮影部が取得した画像または動画は、ＲＡＭ１９０、外部メモリなどに保存される。撮影部は、例えば、ＣＣＤ（ＣＨＡＲＧＥ  ＣＯＵＰＬＥＤ  ＤＥＶＩＣＥ）カメラ、ＣＭＯＳ（ＣＯＭＰＬＥＭＥＮＴＡＲＹ  ＭＥＴＡL  ＯＸＩＤＥ  ＳＥＭＩＣＯＮＤＵＣＴＯＲ）カメラなどにより構成される。
【００３８】
以上のように、タッチパネル入力部１１５を有する携帯電話端末装置１００の例を示したが、他には、例えば、図５に示すように、タッチパネル入力部１１５のかわりにキー入力部１２５を有する携帯電話端末装置１００であってもよい。図５に示すように、表示部１０５とキー入力部１２５とが別々に設けられること以外は図１の場合と同様であり、図５の携帯電話端末装置１００のブロック構成図である図６も、表示部１０５とキー入力部１２５とが別々に設けられる以外は、図４と同様である。
【００３９】
図７には、図４および６における制御部２２０を具体的に示す。図６に示すように制御部２２０には、セキュリティロック検出部７２０が設けられる。セキュリティロック検出部７２０とは、携帯電話端末装置１００を休止モードから動作モードに変更する際に、携帯電話端末装置１００が、セキュリティロックがなされた状態であるかどうかを検出する。なお、セキュリティロックとは、第三者による不正使用を防止するために、携帯電話端末装置１００の機能の全てまたは一部を使用できなくする機能をいう。セキュリティロックには、例えば、携帯電話端末装置１００のほぼ全ての操作（電源のオン／オフおよび電話に応答する以外の操作）を禁止するオールロック、携帯電話端末装置１００の入力操作を禁止する入力ロック、メール操作を禁止するメールロックなどの機能が挙げられる。セキュリティロックは制御部２２０によって制御される。
【００４０】
図４および６の場合、表示部１０５とセキュリティロック検出部７２０との間には輝度制御部１０６が設けられる。そして、セキュリティロックがなされていない状態（第１の状態）であるか、それともセキュリティロックがなされた状態（第２の状態）であるかをセキュリティロック検出部７２０が検出し、図４に示すように輝度制御部１０６（例えば、ドライバＩＣなど）は、その検出結果にもとづき表示部１０５の輝度を制御する。
【００４１】
なお、輝度制御部１０６は、表示部１０５とともに、表示部１０５中のタッチパネル入力部、またはキー入力部１２５の輝度を制御してもよい（図４および図６の矢印Ａ参照）。これにより、携帯電話端末装置の消費電力量をより十分に低減することが可能となる。
【００４２】
なお、図４および６には図示していないが、輝度制御部１０６は、携帯電話端末装置１００の表示制御部の一部であってもよい。この表示制御部は、制御部２２０からの制御信号に基づいて、ＲＯＭ１８０、ＲＡＭ１９０に記憶された情報を表示部１０５に表示するための制御を行う。
【００４３】
図７において制御部２２０は、セキュリティロック検出部７２０だけでなく、セキュリティロック検出部７２０で得られた検出結果をもとに輝度制御部１０６に対して輝度を制御するように命令を出す輝度指示部７３０を有していることが好ましい。制御部２２０の中にセキュリティロック検出部７２０と輝度指示部７３０とが存在することにより、より円滑な情報伝達が可能となる。
【００４４】
また、制御部２２０は、他に、セキュリティロック機能の実行および解除をおこなうセキュリティロック制御部７４０を有している。制御部２２０の中にセキュリティロック検出部７２０とセキュリティロック制御部７４０とが存在することにより、迅速な情報処理を可能となるため好適である。
【００４５】
制御部２２０としては、例えば、制御用ＣＰＵなどが挙げられる。
【００４６】
〔動作処理〕
次に、セキュリティロック検出部７２０が処理を実行するプログラムについて図８〜１０を用いて説明する。なお、携帯電話端末装置１００は、図２に示すような折り畳み型を例に挙げる。
【００４７】
まず、休止モードである携帯電話端末装置１００は、動作モードに変更するかどうかユーザーに選択させるように制御する（ステップＳ１）。前記変更が行われない場合は（ステップＳ１：ＮＯ）、休止モードが維持される。前記変更が行なわれる場合は（ステップＳ１：ＹＥＳ）、休止モードから動作モードに変更する（ステップＳ２）。
【００４８】
この変更は、具体的に、操作部１２０がユーザーにより押圧されるなどにより、また、２つの筺体部が閉まった状態から開いた状態に変更される（図２の左の図の状態から右の図の状態へ変更される）ことで行なわれる。
【００４９】
携帯電話端末装置１００が動作モードになると（ステップＳ２）、セキュリティロック検出部７２０は、携帯電話端末装置１００においてセキュリティロックがＯＮの状態であるかどうかを検出する。セキュリティロックがＯＮの状態（第２の状態）であるとセキュリティロック検出部７２０が検出した場合（ステップＳ３：ＹＥＳ）、この検出結果にもとづいて、表示部１０５の輝度は第２の輝度に制御される（ステップＳ４）。一方、セキュリティロックがＯＮの状態でない（第１の状態）とセキュリティロック検出部７２０が検出した場合（ステップＳ３：ＮＯ）、この検出結果にもとづいて、表示部１０５の輝度は第１の輝度に制御される（ステップＳ５）。なお、表示部１０５の輝度の制御は、輝度指示部７３０により行なわれることが好ましい。輝度指示部７３０は、セキュリティロック検出部７２０の検出結果をもとに、表示部１０５の輝度を制御することができる。
【００５０】
ここで、第２の輝度は、第１の輝度よりも低い輝度をいう。上述のように、セキュリティロック検出部７２０が携帯電話端末装置１００のセキュリティロック状態を検出し、セキュリティロックがＯＮの場合に輝度を低くすることで、携帯電話端末装置１００の消費電力量を抑制することが可能となる。
【００５１】
第２の輝度と第１の輝度との輝度の比較は、目視にて判断できればよい。第２の輝度は第１の輝度よりも低ければよく、第２の輝度としては例えば、表示部１０５が消灯した状態を含めてもよい。なお、消灯した状態とは、表示部として液晶ディスプレイを用いた場合、バックライトが点いていない状態であり、表示部１０５が有機ＥＬディスプレイの場合、発光体が発光していない状態をいう。
【００５２】
また、第２の輝度および休止モード時の表示部１０５の輝度はいずれも、第１の輝度よ
りも輝度が低い。そして、第２の輝度および休止モード時の表示部１０５の輝度を比較すると、第２の輝度は、休止モード時に表示部１０５の輝度と同じであってもよく、また休止モード時に表示部１０５の輝度よりも高くてもよい。
【００５３】
表示部１０５の輝度が第２の輝度に制御されると（ステップＳ４）、セキュリティロックの一時的解除のための操作をユーザーから受けたかどうか検出する（ステップＳ６）。一方、表示部１０５の輝度が第１の輝度に制御されると（ステップＳ５）、セキュリティロックの設定操作をユーザーから受けたかどうか検出する（図９のステップＳ１２）。なお、ステップＳ１３については後述する。
【００５４】
セキュリティロックの一時的解除のための操作を受けた場合（ステップＳ６：ＹＥＳ）、ステップＳ７にてセキュリティロックの一時的解除が行われる。
【００５５】
一時的解除の方法としては、キー入力部１２５に対する暗証番号の入力による方法が挙げられる。なお、暗証番号は、前述したＲＡＭ１９０などに記憶されている。
【００５６】
ユーザーにより暗証番号が入力される際、キー入力部１２５に表示された数字をユーザーが認識できる程度に、図６の矢印Ａに示すように輝度制御部１０６によりキー入力部１２５の輝度を制御することも可能である。また、ユーザーによって暗証番号をキー入力部１２５に入力できるかどうかは、ユーザーがキー入力部１２５を認識できる程度に携帯電話端末装置１００の使用環境が明るいことが必要である。そのために、例えば、使用環境の明るさを検出するための明るさ検出部を携帯電話端末装置１００に設け（不図示）、その検出部の結果をもとにして、キー入力部１２５の輝度を制御してもよい。
【００５７】
セキュリティロックの一時的解除の方法としては、暗証番号の入力の他に、指紋認証部（不図示）によりユーザーを認証する方法も挙げられる。
【００５８】
ステップＳ７にてセキュリティロックが一時的に解除されると、セキュリティロック検出部７２０は、セキュリティロックがＯＮの状態ではない（第１の状態である）と検出する。そして、この検出結果にもとづいて、表示部１０５の輝度は第２の輝度から第１の輝度に変更される（ステップＳ８）。セキュリティロック検出部７２０は、このように、一時的であっても、検出時点においてセキュリティロックが解除されている場合、セキュリティロックがＯＮの状態ではない（セキュリティロックがなされていない状態である）、第１の状態と検出する。
【００５９】
ステップＳ８にて表示部１０５の輝度が第１の輝度に変更されたのち、セキュリティロック設定を解除する操作（セキュリティロックを完全に解除する操作）を受けたかどうかを検出する（図１０のステップＳ２１）。なお、ステップＳ２１については後述する。
【００６０】
一方、セキュリティロックが一時的に解除されない場合（ステップＳ６：ＮＯ）、携帯電話端末装置１００は「開」状態から「閉」状態に変更されたかどうかを検出する（ステップＳ９）。「開」状態とは図２の右図のように２つの筺体部１０６および１０７が開いた状態をいい、「閉」状態とは図２の左図のように２つの筺体部１０６および１０７が閉じた状態をいう。
【００６１】
なお、ステップＳ６とステップＳ９とのステップ間において、セキュリティロックにより禁止されていない操作を行うことは、セキュリティロックと関係なく可能である。
【００６２】
「開」状態から「閉」状態に変更する場合（ステップＳ９：ＹＥＳ）、携帯電話端末装置１００は動作モードから休止モードに変更される（ステップＳ１１）。
【００６３】
一方、「開」状態から「閉」状態に変更しない場合（ステップＳ１０：ＮＯ）、操作のないまま一定時間を経過したかどうかを制御部２００が検出する（ステップＳ１０）。操作が行なわれず一定時間経過した場合（ステップＳ１０：ＹＥＳ）、携帯電話端末装置１００は、動作モードから休止モードに変更される。これは、設定した時間を経過すると動作モードから休止モードに変更されるタイマー機能を指しており、ユーザーは予め休止モードに設定したい時間を入力することができる。設定した時間は記憶される。また、ステップＳ１０において一定時間経過前に操作が行なわれた場合（ステップＳ１０：ＮＯ）、再びステップＳ６に戻る。
【００６４】
次に図９のフローチャートを説明する。なお、図９のフローチャートは、図８の（２）以降のフローを示す。
【００６５】
携帯電話端末装置１００のセキュリティロックがＯＮの状態ではない（第１の状態である）という検出結果にもとづき、表示部の輝度を第１の輝度に制御された後（図８のステップＳ３およびステップＳ５）、セキュリティロックの設定のための操作を受けたかどうかを検出する（ステップＳ１２）。セキュリティロックの設定操作を受けた場合（ステップＳ１２：ＹＥＳ）、セキュリティロック設定がなされ（ステップＳ１３）、次に、携帯電話端末装置１００が「開」状態から「閉」状態に変更されたかどうかを検出する（ステップＳ１４）。
【００６６】
ステップＳ１４において「開」状態から「閉」状態に変更された場合（ステップＳ１４：ＹＥＳ）、セキュリティロックはＯＮになり、また、休止モードに変更する（ステップＳ１５）。具体的には、開いていた２つの筺体を閉じる際に自動的にセキュリティロックがＯＮになる設定をしている場合が挙げられる。
【００６７】
ステップＳ１５において、セキュリティロックのＯＮおよび休止モードへの変更がなされた場合、フローは再びステップＳ１に移行する。
【００６８】
一方、ステップＳ１４において「開」状態から「閉」状態に変更しない場合（ステップＳ１４：ＮＯ）、操作のないまま一定時間を経過したかどうかをステップＳ１６にて制御部２００が検出する。操作が行なわれず一定時間経過した後（ステップＳ１６：ＹＥＳ）、制御部２００は、セキュリティロックのＯＮに変更するための設定時刻（以下、ロック設定時刻）と、動作モードから休止モードへの移行の設定時刻（以下、休止モード設定時刻）と、を比較し、ロック設定時刻よりも休止モード設定時刻が先に到来するかどうかを検出する（ステップＳ１７）。ロック設定時刻とは、具体的には、設定時間が来れば自動的にセキュリティロックをＯＮにするタイマー機能の設定時刻をいう。また、休止モード設定時刻とは、具体的に、設定時間が来れば自動的に休止モードに変更を行なうスリープタイマー機能の設定時刻をいう。
【００６９】
休止モード設定時刻が先に到来する場合（ステップＳ１７：ＹＥＳ）、休止モード設定時刻にセキュリティロックがＯＮになり、休止モードに変更され、（ステップＳ１８）フローは再びステップＳ１に移行する。一方、休止モード設定時刻が先に到来しない場合は（ステップＳ１７：ＮＯ）、セキュリティロックがＯＮになる（ステップＳ１９）。ステップＳ１９の後、セキュリティロック検出部７２０は、セキュリティロックがなされていない状態（第１の状態）からＯＮの状態（第２の状態）に変更されたことを検出し、この検出結果にもとづいて、表示部１０５の輝度は第１の輝度から第２の輝度に変更される（ステップＳ２０）。この後、フローは図８のステップＳ６に移行する。
【００７０】
（図１０）
次に図１０のフローチャートを説明する。なお、図１０のフローチャートは、図８の（３）以降のフローを示す。
【００７１】
セキュリティロックが一時的に解除された後、セキュリティロックの設定を解除するための操作（セキュリティロックを完全に解除するための操作）をユーザーから受けたかどうかを検出する（ステップＳ２１）。
【００７２】
セキュリティロックの設定を解除するための操作を受けたことが検出された場合（ステップＳ２１：ＹＥＳ）、セキュリティロック設定は解除される（Ｓ２２）。セキュリティロック設定の解除は、例えば、セキュリティロック設定画面における「ＯＮ」の表示を「ＯＦＦ」に変更することでなされる。
【００７３】
ステップＳ２２にてセキュリティロック設定が解除された場合、セキュリティロック検出部７２０では、セキュリティロックがなされていない状態（第１の状態）に変化がないと検出し、この検出結果にもとづいて、表示部１０５の輝度は第１の輝度のまま維持される（ステップＳ２３）。この後、フローは図９のステップＳ１２に移行する。
【００７４】
一方、セキュリティロックの設定を解除するための操作を受けたことが検出されない場合（ステップＳ２１：ＮＯ）、フローは図９のステップＳ１４に移行する。
【００７５】
以上のように、フローの説明を、図２に示すような折り畳み型の携帯電話端末装置１００をもとに行なった。なお、図１のようなストレート型の携帯電話端末装置１００の場合、図８のステップＳ９および図９のステップＳ１４のように、「開」状態から「閉」状態に変更されたかどうかを検出するステップがなく、さらに、図９のステップＳ１５のように、「開」状態から「閉」状態に変更された場合にセキュリティロックがＯＮされ、休止モードになるステップがない。これらの場合、ステップＳ６において、セキュリティロックの一時的解除操作を受けていないと検出されると（ステップＳ６：ＮＯ）、フローはそのままステップＳ１０に移行する。また、ステップＳ１３においてセキュリティロックの設定がなされた後、フローはそのままステップＳ１６に移行する。
【００７６】
その他のステップは、図８〜図１０のステップと同様である。
【００７７】
また、図３のようなスライド型の携帯電話端末装置１００の場合は、前述したストレート型の携帯電話端末装置１００の場合と同様のステップを採用するが、例えば、スライドを閉じると、セキュリティロックがＯＮされ、休止モードに移行される設定がなされている場合は、図８〜図１０に示す折り畳み型の携帯電話端末装置１００と同様のステップを採用する。なお、図８のステップＳ９および図９のステップＳ１７における「開」状態から「閉」状態に変更するとは、この場合、図３の右図に示すスライドを開いた状態から左に示すスライドを閉じた状態に変更することをいう。
【００７８】
休止モードから動作モードに移行させる際に表示部１０５に何も表示されない場合、ユーザーが、携帯電話端末装置に電源が入っていないと勘違いするという課題が考えられ、このような勘違いをさせないために、図１１に示すように表示部１０５にセキュリティロックがなされていることを示す表示をすることが好ましい。このような表示としては、文字で示してもよいし、他にマークで表してもよい。
【００７９】
また、前述のようなユーザーによる勘違いをさせないために、表示部１０５以外の部位に表示をおこなってもよい。
【００８０】
例えば、図１２に示すように、発光部１６０を発光させてもよい。発光部１６０により
セキュリティロック機能が実行されていることを示す場合、図４および６に示すように、セキュリティロック検出部７２０の検出結果をもとに制御部２２が発光部１６０に対してどのような発光をさせるか命令を出す。例えば、セキュリティロックがなされていない場合は発光せず、セキュリティロックがなされている場合は発光させてもよい。また、セキュリティロックの要否を、発光部１６０の色の変化で表してもよい。他に、セキュリティロックのなかでもどのロック機能が実行されているかを示すために、発光部１６０の色を変えて表してもよい（例えば、オールロック機能の場合は赤色、入力ロック機能の場合は青色）。
【００８１】
表示部１０５以外の部位としては、発光部１６０の他に、例えば、図１３に示すように、表示部１０５とは別の表示部（第２の表示部）１０８を設け、その表示部１０８にてセキュリティロックがなされていることを示す表示をしてもよい。このような表示としては、文字で示してもよいし、他にマークで表してもよい。なお、図１３は、図２の右側に示す開閉型の携帯電話端末装置１００を背面から見た図である。
【符号の説明】
【００８２】
１００，１０１，１０２，１０３  携帯電話端末装置
１０４  各種情報
１０５  表示部
１０６，１０７  筺体部
１０８  第２の表示部
１１０  ヒンジ部
１１５  タッチパネル入力部
１２０  操作部
１２５  キー入力部
１３０  スピーカ
１４０  マイク
１５０  振動部
１６０  発光部
１７０  無線回路
１８０  ＲＯＭ
１９０  ＲＡＭ
２２０  制御部
７１０  電話発着信処理部
７２０  セキュリティロック検出部
７３０  輝度制御部
７４０  セキュリティロック制御部
【図１】
2011250135.tif 000003
【図２】
2011250135.tif 000004
【図３】
2011250135.tif 000005
【図４】
2011250135.tif 000006
【図５】
2011250135.tif 000007
【図６】
2011250135.tif 000008
【図７】
2011250135.tif 000009
【図８】
2011250135.tif 000010
【図９】
2011250135.tif 000011
【図１０】
2011250135.tif 000012
【図１１】
2011250135.tif 000013
【図１２】
2011250135.tif 000014
【図１３】
2011250135.tif 000015